(57)【要約】【課題】作業者が被ったヘルメットから目の前に垂らした糸条で垂直の測定ができ、垂直の測定がいつでもどこでも場所や条件を選ばずに行える簡便な下げ振りを提供する。【解決手段】ヘルメット２の上部に、伸縮軸３をヘルメット２の前後方向に沿う配置で取付け、この伸縮軸３に先端から垂れ下がる糸条５の巻取り機構６を設け、前記伸縮軸３に先端から垂れ下がる糸条５の下端部に錘７が取付けられている。【選択図】図１
2008209178.tif 000002
【特許請求の範囲】
【請求項１】
帽子部材の上部に、この帽子部材の前後方向に沿う配置で取付ける伸縮軸と、前記伸縮軸に先端から垂れ下がるように設けた糸条と、前記糸条の下端部に取付けた錘とで形成されている下げ振り。
【請求項２】
上記伸縮軸の後端側に糸条の巻取り機構が設けられ、この巻取り機構によって前記糸条の引き出しと巻き取りができるようになっている請求項１に記載の下げ振り。
【請求項３】
上記帽子部材に対して伸縮軸が取付け部材で着脱自在になっている請求項１又は２に記載の下げ振り。
【発明の詳細な説明】
【技術分野】
【０００１】
この発明は、各種建築や土木の工事等において、被対象物の垂直を目視によって確認するための下げ振りに関する。
【背景技術】
【０００２】
一般に、各種建築や土木の工事等においては、工事中に各部の垂直確認が必要になり、垂直の確認として下げ振りが使用される。
【０００３】
従来、垂直を見るための一般的な下げ振りとしては、三脚の中心部から糸条を垂らし、この糸条の下端に錘を取付けたものや、糸条の引き出しと巻取りが自在となる巻取り機構に固定手段を設け、この巻取り機構から引き出した糸条の先端に錘を取付けたものが用いられており、垂れ下がる糸条が下端の錘で垂直になることで、垂直の糸条と測定被対象物とを見て、垂直か否かの判断をするものである。
【発明の開示】
【発明が解決しようとする課題】
【０００４】
ところで、上記した従来の下げ振りは、測定の都度、三脚を立てたり巻取り機構を固定しなければならず、測定に手間がかかるだけでなく、特に、多数箇所を順に測定しなければならない場合、移動作業が煩雑となり、三脚を立てたり巻取り機構を固定するスペースや場所がない場合、測定ができないという問題がある。
【０００５】
そこでこの発明の課題は、作業者が被ったヘルメット等から目の前に垂らした糸条で垂直の測定ができるようにし、垂直の測定がいつでもどこでも場所や条件を選ばずに行える簡便な下げ振りを提供することにある。
【課題を解決するための手段】
【０００６】
上記のような課題を解決するために、この発明は、帽子部材の上部に、この帽子部材の前後方向に沿う配置で取付ける伸縮軸と、前記伸縮軸に先端から垂れ下がるように設けた糸条と、前記糸条の下端部に取付けた錘とで形成されている構成を採用したのである。
【０００７】
上記伸縮軸の後端側に糸条の巻取り機構が設けられ、この巻取り機構によって、前記糸条の引き出しと巻き取りができるようにしたり、上記帽子部材に対して伸縮軸が取付け部材で着脱自在になっている構造とすることができる。
【０００８】
ここで、上記帽子部材は、各種建築や土木の工事等において着用するヘルメットを用い、伸縮軸は直径の異なるパイプを伸縮自在に組み合わせて形成され、その後端側を固定式又は吸盤のような着脱式の取付け部材でヘルメット上に取付け、引き伸ばし状態で先端が作業者の前方位置に突出する長さを有している。
【０００９】
また、巻取り機構は、ケース内に組み込んだリールに渦巻きスプリングで糸条を巻き取る方向の回転弾性を付勢し、リールから引き出した糸条は伸縮軸内を長さ方向に誘導され、伸縮軸の先端から引き出され、この糸条の引き出し状態を固定保持すると共に、糸条の巻き取りを可能にするロック機構がケースに設けられている。
【００１０】
上記伸縮軸をヘルメットに対して着脱自在にする取付け部材には吸盤や磁石を用い、ヘルメットから取外すことにより、下げ振りは吸盤や磁石で他の部材に取付けることによっても単独で使用できる。
【発明の効果】
【００１１】
この発明によると、帽子部材の上部に伸縮軸を取付け、この伸縮軸の先端から垂れ下がる糸条の下端部に錘を取付けたので、頭部に帽子部材を着用して伸縮軸を伸ばし、伸縮軸の先端から糸条を垂れ下がり状にすれば、糸条は作業者の目の前で下端の錘によって垂直の配置となり、作業者はこの糸条と被測定物を見ることで、被測定物が垂直であるか否かを判断することができ、従って、垂直の測定がいつでもどこでも場所や条件を選ばずに行えることになる。
【００１２】
また、頭部に着用する帽子部材に取付けることにより、作業者と共に移動することになり、多数箇所を順に測定する場合の作業能率を向上させることができる。
【００１３】
更に、伸縮軸を短くして糸条を巻き取れば、全体が嵩低くなって作業者の前方に対する突出部分がなく、通常の作業に全く支障を与えることがないと共に、帽子部材から下げ振りを取外しておけば、帽子部材はそのまま通常の状態で使用でき、しかも、下げ振りは、他の部材に取付けて単独使用できる。
【発明を実施するための最良の形態】
【００１４】
以下、この発明の実施の形態を添付図面に基づいて説明する。
【００１５】
図示のように、下げ振り１は、帽子部材であるヘルメット２の上部に、伸縮軸３を取付け部材４でこのヘルメット２の前後方向に沿う配置で取付け、この伸縮軸３の後端側に糸条５の巻取り機構６を設け、前記巻取り機構６から引き出した糸条５を、伸縮軸３の長さ方向に沿って内部を通すことによって、伸縮軸３の先端から垂れ下がり状とし、この糸条５の下端部に錘７が取付けられている。
【００１６】
上記伸縮軸３は、直径の異なる複数本のパイプを伸縮自在に組み合わせ、引き伸ばし状態で先端が作業者の前方位置に突出する長さを有するように形成され、図１の例では、その後端側をヘルメット２上に設けた取付け部材４を介してヘルメット２に固定している。
【００１７】
図３の例では、ヘルメット２上に下げ振り１を固定する取付け部材として吸盤４ａを用い、下げ振り１をヘルメット２上に着脱自在に取付けるようにしている。なお、吸盤４ａに代えて磁石を用いるようにしてもよい。
【００１８】
このように、ヘルメット２に対して下げ振り１を着脱自在にすれば、ヘルメット２及び下げ振り１をそれぞれ単独で使用でき、ヘルメット２の有無に関係なく、下げ振り１を吸盤４ａで他の部材に取付けることにより、単独で垂直の測定が行えることになる。
【００１９】
また、巻取り機構６は、図示詳細を略したが、丁度巻尺のように、ケース８内に組み込んだリールに渦巻きスプリングで糸条５を巻き取る方向の回転弾性を付勢し、リールから引き出した糸条５は伸縮軸３内を長さ方向に誘導され、伸縮軸３の先端に設けたプーリ９から下方に引き出され、ケース８には、この糸条５の引き出し状態を固定保持すると共に、糸条５の巻き取りを可能にするロック機構１０が設けられている。
【００２０】
上記伸縮軸３を収縮させて糸条５を巻取り機構６で巻き取れば、下げ振り１は全体が嵩低くなって作業者の前方に対する突出部分がなく、通常の作業に全く支障を与えることがない。
【００２１】
この発明の下げ振り１は、上記のような構成であり、ヘルメット２の上部に下げ振り１をその伸縮軸３が前後方向に沿う配置で取付け、図１や図３（ａ）のように、作業者は、頭部にヘルメット２を、伸縮軸３が前後方向に向くよう着用し、垂直の検出を行うには、伸縮軸３を前方へ引き伸ばして糸条５を引き出し、伸縮軸３の先端から下方にたれ下げ状とすれば、糸条５は作業者の目の前で下端の錘７によって垂直の配置となり、作業者は立ったままでこの糸条５と被測定物を目で見ることで、垂直の糸条５を基準に被測定物が垂直であるか否かを判断することができ、従って、垂直の測定がいつでもどこでも場所や条件を選ばずに行えることになる。
【００２２】
また、下げ振り１は、作業者が頭部に着用するヘルメット２に取付けることにより、作業者と共に一体に移動することになり、多数箇所を順に測定する場合の作業能率を向上させることができる。
【００２３】
下げ振り１を使用しないとき、伸縮軸３を短くして巻取り機構６に糸条５を巻き取れば、下げ振り１は全体が嵩低くなって作業者の前方に対する突出部分がなく、通常の作業に全く支障を与えることがないと共に、取付け部材を吸盤４ａや磁石にし、ヘルメット２に対して下げ振り１を着脱自在とすれば、ヘルメット２に対する加工は不要になり、ヘルメット２から下げ振り１を取外すことで、ヘルメット２はそのまま通常の状態で使用でき、また、下げ振り１は吸盤４ａや磁石で他の部材に取付けることにより、ヘルメット２の有無に関係なく単独使用ができることになる。
【図面の簡単な説明】
【００２４】
【図１】この発明に係る下げ振りの使用状態を示す側面図
【図２】（ａ）は下げ振りの斜視図、（ｂ）は下げ振りの伸縮軸の先端と糸条及び錘を拡大した一部切り欠き側面図
【図３】（ａ）はヘルメットに対する下げ振りの取り付けに吸盤を用いた使用状態を示す側面図、（ｂ）は同上の斜視図
【符号の説明】
【００２５】
１        下げ振り
２        ヘルメット
３        伸縮軸
４        取付け部材
４ａ      吸盤
５        糸条
６        巻取り機構
７        錘
８        ケース
９        プーリ
１０      ロック機構
【図１】
2008209178.tif 000003
【図２】
2008209178.tif 000004
【図３】
2008209178.tif 000005